Podtech/llm-jp-corpus-v4-ja_patent huggingface dataset:
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
識別情報の変動表示を行い、予め定められた特定結果が導出表示されたときに遊技者にとって有利な特別遊技状態に制御する遊技機であって、
前記識別情報の変動表示の開始にともない所定の演出を制御する演出制御手段と、
前記識別情報の変動表示の開始にともない関連性のある特定の演出を複数回の前記識別情報の変動表示において実行する関連演出実行手段と、
を備え、
前記関連演出実行手段は、前記複数回の識別情報の変動表示それぞれにおいて、前記所定の演出の視認性を低い状態に変化させる視認困難演出を実行可能であり、
前記視認困難演出を実行するときに、前記特定の演出の視認性を前記所定の演出よりも高くする
ことを特徴とする遊技機。
【請求項２】
請求項１に記載の遊技機において、音の出力にかかる制御を行う音出力制御手段をさらに備えることを特徴とする遊技機。
【請求項３】
請求項１または２に記載の遊技機において、所定の発光演出が行われるランプ装置をさらに備えることを特徴とする遊技機。
【手続補正２】
【補正対象書類名】明細書
【補正対象項目名】０００２
【補正方法】変更
【補正の内容】
【０００２】
近年の遊技機においては、その遊技盤に当該遊技機のコンセプトをモチーフにしたセンター役物が設けられており、そのセンター役物内に、当該特徴をモチーフにした装飾図柄を特別図柄の変動に応じて表示させている。当該遊技機においては、遊技球が始動口に受け入れられると（以下、「始動入賞」ともいう）、その後、メイン制御基板の制御によって特別図柄の変動を開始し、当該始動入賞の際に実行した特別図柄の抽選に当選すると大当り遊技状態に移行する。一方、当該遊技機においては、サブ制御基板の制御によって、上述のような特別図柄の変動ごとに対応する演出動作を制御したり、大当り遊技状態に対応する演出動作を制御する（特許文献１参照）。
【手続補正３】
【補正対象書類名】明細書
【補正対象項目名】０００３
【補正方法】削除
【補正の内容】
【手続補正４】
【補正対象書類名】明細書
【補正対象項目名】０００５
【補正方法】変更
【補正の内容】
【０００５】
しかしながら、従来のパチンコ機では、遊技に対する興趣が低下するおそれがあった。
【手続補正５】
【補正対象書類名】明細書
【補正対象項目名】０００６
【補正方法】変更
【補正の内容】
【０００６】
そこで、本発明は、遊技に対する興趣の低下を抑制することを目的とする。
【手続補正６】
【補正対象書類名】明細書
【補正対象項目名】０００７
【補正方法】変更
【補正の内容】
【０００７】
識別情報の変動表示を行い、予め定められた特定結果が導出表示されたときに遊技者にとって有利な特別遊技状態に制御する遊技機であって、
前記識別情報の変動表示の開始にともない所定の演出を制御する演出制御手段と、
前記識別情報の変動表示の開始にともない関連性のある特定の演出を複数回の前記識別情報の変動表示において実行する関連演出実行手段と、
を備え、
前記関連演出実行手段は、前記複数回の識別情報の変動表示それぞれにおいて、前記所定の演出の視認性を低い状態に変化させる視認困難演出を実行可能であり、
前記視認困難演出を実行するときに、前記特定の演出の視認性を前記所定の演出よりも高くする
ことを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
このように、本発明にかかる遊技機によれば、遊技に対する興趣の低下を抑制することができる。
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
複数の図柄を変動表示可能な表示領域と、
前記表示領域に複数の図柄を変動表示させたのち停止表示させる表示制御手段と、
前記表示制御手段によって前記表示領域に特定結果態様が停止表示された場合に、遊技者にとって有利な有利遊技状態に制御する遊技状態制御手段と、
前記特定結果態様が停止表示される以前に複数の図柄のうちいずれかを関連させるように停止表示し、前記有利遊技状態に制御させ得る前記特定結果態様が停止表示されることを示唆する前兆演出を実行可能な前兆演出実行手段と、
を備えた遊技機であって、
前記前兆演出実行手段は、
前記特定結果態様が停止表示される以前に停止表示する図柄として、前記特定結果態様を構成する特定図柄をそれぞれ関連するように停止表示して、前記特定結果態様が停止表示されることを示唆する第１前兆演出と、
前記特定結果態様が停止表示される以前に停止表示する図柄として、前記特定図柄とは異なる前記特定結果態様を構成し得ない特殊図柄をそれぞれ関連させるように停止表示して、前記特定結果態様とは異なる特殊結果態様が停止表示されることを示唆する第２前兆演出と、
を実行可能であり、
前記第２前兆演出が実行されて前記特殊結果態様が停止表示された場合に、一旦停止表示した図柄を再び変動表示させて、前記第１前兆演出が実行され得るように前記特定図柄をそれぞれ関連するように停止表示させる特殊再変動実行手段と、
を備えることを特徴とする遊技機。
【請求項２】
請求項１に記載の遊技機において、音の出力にかかる制御を行う音出力制御手段をさらに備えることを特徴とする遊技機。
【請求項３】
請求項１または２に記載の遊技機において、所定の発光演出が行われるランプ装置をさらに備えることを特徴とする遊技機。
【手続補正２】
【補正対象書類名】明細書
【補正対象項目名】０００４
【補正方法】変更
【補正の内容】
【０００４】
しかしながら、従来の遊技機においては、大当り遊技状態へ移行させる装飾図柄の表示がされるか否かに注目される傾向があり、遊技が単調となってしまうおそれがあった。
【手続補正３】
【補正対象書類名】明細書
【補正対象項目名】０００５
【補正方法】変更
【補正の内容】
【０００５】
そこで、本発明は、装飾図柄による多彩な演出を実現することにより、遊技に対する興趣の向上を図ることを目的とする。
【手続補正４】
【補正対象書類名】明細書
【補正対象項目名】０００６
【補正方法】変更
【補正の内容】
【０００６】
上記した目的を達成するため、本発明の遊技機は、複数の図柄を変動表示可能な表示領域と、前記表示領域に複数の図柄を変動表示させたのち停止表示させる表示制御手段と、前記表示制御手段によって前記表示領域に特定結果態様が停止表示された場合に、遊技者にとって有利な有利遊技状態に制御する遊技状態制御手段と、前記特定結果態様が停止表示される以前に複数の図柄のうちいずれかを関連させるように停止表示し、前記有利遊技状態に制御させ得る前記特定結果態様が停止表示されることを示唆する前兆演出を実行可能な前兆演出実行手段と、を備えた遊技機であって、前記前兆演出実行手段は、前記特定結果態様が停止表示される以前に停止表示する図柄として、前記特定結果態様を構成する特定図柄をそれぞれ関連するように停止表示して、前記特定結果態様が停止表示されることを示唆する第１前兆演出と、前記特定結果態様が停止表示される以前に停止表示する図柄として、前記特定図柄とは異なる前記特定結果態様を構成し得ない特殊図柄をそれぞれ関連させるように停止表示して、前記特定結果態様とは異なる特殊結果態様が停止表示されることを示唆する第２前兆演出と、を実行可能であり、前記第２前兆演出が実行されて前記特殊結果態様が停止表示された場合に、一旦停止表示した図柄を再び変動表示させて、前記第１前兆演出が実行され得るように前記特定図柄をそれぞれ関連するように停止表示させる特殊再変動実行手段と、を備えることを特徴とする遊技機。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
このように、本発明によれば、装飾図柄による多彩な演出を実現することができる。
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
特別図柄の変動条件が成立した場合に大当たり抽選を行う主制御手段と、前記主制御手段により大当たり抽選が行われる場合、前記主制御手段からの制御信号に基づいて、表示演出を実行可能な演出制御手段と、前後方向に前側表示パネルと後側表示パネルとを配置された遊技機において、
前記演出制御手段は、
前記前側表示パネルに演出を実行する第１演出実行手段と、前記後側表示パネルに演出を実行する第２演出実行手段と、を少なくとも備え、
前記第１演出実行手段による演出と前記第２演出実行手段による演出とを同時に実行することで奥行き感ある同時表示を実行可能に構成されるとともに、
予め定められた特定条件が成立した場合、通常演出とは異なる特定演出を実行する特定演出実行手段と、
前記特定演出実行手段により前記特定演出が実行される場合、前記演出制御手段にて実行されている実行前背景画像を前記特定演出に対応する背景画像に切り替える背景画像切替手段と、
前記特定演出実行手段により前記特定演出が実行されることを遊技者に前兆演出として表示する前兆演出実行手段と、
前記実行前背景画像を実行後背景画像に切り替える前記背景画像切替手段の実行にあわせて、前記実行後背景画像上に特定演出の実行を通知する特定演出通知手段と、
を備え、
前記前兆演出実行手段による前記前兆演出の示唆は、前記前側表示パネルでは表示されえない前記後側表示パネルにのみ表示される図柄演出にあわせて実行されることを特徴とする遊技機。
【請求項２】
請求項１に記載の遊技機において、音の出力にかかる制御を行う音出力制御手段をさらに備えることを特徴とする遊技機。
【請求項３】
請求項１または２に記載の遊技機において、遊技結果に応じて遊技者に遊技価値を付与可能な遊技価値付与手段をさらに備えることを特徴とする遊技機。
【手続補正２】
【補正対象書類名】明細書
【補正対象項目名】０００２
【補正方法】変更
【補正の内容】
【０００２】
従来、遊技盤面に複数の役物及び所定サイズの表示画面を搭載した遊技機がある。役物
は、演出上の道具又は仕掛けであり、例えば回転体、フィギュア、風車又はクルーン等が
ある。また表示画面は、静止画又は動画により演出を行う表示装置であり、例えばＬＣＤ
（Liquid Crystal Display）等である。
一般に、役物は遊技盤面の周辺に散りばめられて配置され、表示画面は遊技盤面の中央
に配置される。遊技盤面の面積は有限であるため、その限られた遊技領域において、役物
及び表示画面の両者を共存させて配置する必要がある。
【手続補正３】
【補正対象書類名】明細書
【補正対象項目名】０００３
【補正方法】変更
【補正の内容】
【０００３】
特許文献１には、表示画面に表示される静止画又は動画に関連させて役物を動作させる
とともに、その役物の動作に意外性を持たせることにより、遊技の興趣を高めようとする
遊技機が開示されている。
【手続補正４】
【補正対象書類名】明細書
【補正対象項目名】０００４
【補正方法】変更
【補正の内容】
【０００４】
【特許文献１】特開２０１１−１６１２８３号公報
【手続補正５】
【補正対象書類名】明細書
【補正対象項目名】０００５
【補正方法】変更
【補正の内容】
【０００５】
ところで、遊技性の興趣を高めようとするのであれば、表示画面の画面サイズをより大きくしたりすることが好ましい。しかし、上述したように、遊技盤面の面積は有限である。従って、その限られた領域において、より多くの情報量を遊技者に提供することが望まれていた。
【手続補正６】
【補正対象書類名】明細書
【補正対象項目名】０００６
【補正方法】変更
【補正の内容】
【０００６】
そこで、本願発明の課題は、限られた領域において、より多くの情報量を遊技者に提供し得る遊技機を提供することにある。
【手続補正７】
【補正対象書類名】明細書
【補正対象項目名】０００７
【補正方法】変更
【補正の内容】
【０００７】
特別図柄の変動条件が成立した場合に大当たり抽選を行う主制御手段と、前記主制御手段により大当たり抽選が行われる場合、前記主制御手段からの制御信号に基づいて、表示演出を実行可能な演出制御手段と、前後方向に前側表示パネルと後側表示パネルとを配置された遊技機において、
前記演出制御手段は、
前記前側表示パネルに演出を実行する第１演出実行手段と、前記後側表示パネルに演出を実行する第２演出実行手段と、を少なくとも備え、
前記第１演出実行手段による演出と前記第２演出実行手段による演出とを同時に実行することで奥行き感ある同時表示を実行可能に構成されるとともに、
予め定められた特定条件が成立した場合、通常演出とは異なる特定演出を実行する特定演出実行手段と、
前記特定演出実行手段により前記特定演出が実行される場合、前記演出制御手段にて実行されている実行前背景画像を前記特定演出に対応する背景画像に切り替える背景画像切替手段と、
前記特定演出実行手段により前記特定演出が実行されることを遊技者に前兆演出として表示する前兆演出実行手段と、
前記実行前背景画像を実行後背景画像に切り替える前記背景画像切替手段の実行にあわせて、前記実行後背景画像上に特定演出の実行を通知する特定演出通知手段と、
を備え、
前記前兆演出実行手段による前記前兆演出の示唆は、前記前側表示パネルでは表示されえない前記後側表示パネルにのみ表示される図柄演出にあわせて実行されることを特徴とする遊技機。
【手続補正８】
【補正対象書類名】明細書
【補正対象項目名】０００８
【補正方法】変更
【補正の内容】
【０００８】
本発明によれば、限られた領域において、より多くの情報量を遊技者に提供し得る遊技機を提供することができる。
【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
縦方向及び横方向を有し、前記縦方向へ延びる吸液構造体を含む使い捨て着用物品であって、
前記吸液構造体は、透液性の身体側ライナと吸液層とを有し、
前記吸液層は、透液性の第１シートと、透液性又は不透液性の第２シートと、前記第１及び第２シート間に介在され、かつ、両シートのうちの少なくとも前記第１シートの内面に固定された吸水性ポリマー粒子とを含み、前記身体側ライナと前記第１シートとの間には少なくとも前記吸液層の中央部において前記縦方向へ延びる複数条の弾性体が伸長状態で配設されており、
前記身体側ライナと前記第１シートとは、前記縦方向へ延び、かつ、前記横方向において互いに所与寸法離間する複数の接合部を介して接合されており、
前記弾性体が収縮することによって前記身体側ライナ及び前記第１シートに前記横方向へ延びる複数の凹凸条が形成され、前記第１シートと前記第２シートとの間に体液保持部が画定されることを特徴とする前記着用物品。
【請求項２】
前記吸液層は、前記第１シートと前記第２シートとが互いに接合された非吸液域と、前記非吸液域に囲まれた、前記吸水性ポリマー粒子が被包された複数の吸液域とをさらに含む請求項１に記載の着用物品。
【請求項３】
前ウエスト域と、後ウエスト域と、前記前後ウエスト域間に位置するクロッチ域とを形成するシャーシをさらに含み、前記シャーシの前記クロッチ域には、前記吸液構造体を固定するための接合域が形成されており、前記接合域の中央部のうちの少なくとも前記弾性体と重なる部位には、非接合域が画定されている請求項１又は２に記載の着用物品。
【請求項４】
前記弾性体は前記縦方向に約１．２〜２．４倍に伸長された状態で配設されており、隣り合う前記弾性体どうしの前記横方向における離間寸法は、約５〜４０ｍｍである請求項１〜３のいずれかに記載の着用物品。
【請求項５】
前記凹凸条は前記縦方向において交互に位置する複数の凸部と複数の凹部とを有し、前記凸部の最端部位と前記凹部の底部との離間寸法が約２．５〜１５ｍｍである請求項１〜４のいずれかに記載の着用物品。
【請求項６】
前記第１シートの内面には、質量約３０〜３００ｇ／ｍ２の前記吸水性ポリマー粒子が固定されている請求項１〜５のいずれかに記載の着用物品。
【請求項７】
前記吸水性ポリマー粒子は、前記第１シートの内面に疎水性のホットメルト接着剤を介して固定されている請求項１〜６のいずれかに記載の着用物品。
【請求項８】
前記吸液域は、前記吸水性ポリマー粒子と吸水性繊維との混合物から形成された吸収性コアを含み、前記吸水性繊維の混合率が３０％以下である請求項２に記載の着用物品。
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
遊技球が所定領域を通過したことを検出する検出手段と、前記検出手段の検出に基づいて乱数を取得する乱数取得手段と、前記乱数に基づき変動表示ゲームを実行する変動表示ゲーム実行手段と、前記変動表示ゲーム実行手段にあわせて演出を実行可能な演出制御手段と、前記演出制御手段により複数の表示パネルに演出を同時に実行することで奥行き感ある同時表示を実行可能に構成された遊技機において、
前記複数の表示パネルは、
手前側に配置され第１演出が実行される第１表示パネル及び奥側に配置され第２演出が実行される第２表示パネルにて構成され、前記第１表示パネルにて実行される前記第１演出と前記第２表示パネルにて実行される前記第２演出はそれぞれ異なる表示であると共に独立して演出可能であり、同時に実行することで奥行き感ある前記同時表示が実行可能にされており、
前記同時表示は、前記第２表示パネルに特定表示がなされた後に第１表示パネルに特別表示を行うことで実行し、前記特定表示は複数の段階表示で行われ、前記特別表示の実行を示唆する示唆表示として特定段階となった場合に、前記第１表示パネルにより前記特別表示を実行することを特徴とする遊技機。
【請求項２】
請求項１に記載の遊技機において、音の出力にかかる制御を行う音出力制御手段をさらに備えることを特徴とする遊技機。
【請求項３】
請求項１または２に記載の遊技機において、遊技結果に応じて遊技者に遊技価値を付与可能な遊技価値付与手段をさらに備えることを特徴とする遊技機。
【手続補正２】
【補正対象書類名】明細書
【補正対象項目名】０００６
【補正方法】変更
【補正の内容】
【０００６】
ところで、遊技性の興趣を高めようとするのであれば、表示画面の画面サイズをより大きくしたりすることが好ましい。しかし、上述したように、遊技盤面の面積は有限である。従って、その限られた領域において、より多くの情報量を遊技者に提供することが望まれていた。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
そこで、本願発明の課題は、限られた領域において、より多くの情報量を遊技者に提供し得る遊技機を提供することにある。
【手続補正５】
【補正対象書類名】明細書
【補正対象項目名】０００９
【補正方法】変更
【補正の内容】
【０００９】
遊技球が所定領域を通過したことを検出する検出手段と、前記検出手段の検出に基づいて乱数を取得する乱数取得手段と、前記乱数に基づき変動表示ゲームを実行する変動表示ゲーム実行手段と、前記変動表示ゲーム実行手段にあわせて演出を実行可能な演出制御手段と、前記演出制御手段により複数の表示パネルに演出を同時に実行することで奥行き感ある同時表示を実行可能に構成された遊技機において、
前記複数の表示パネルは、
手前側に配置され第１演出が実行される第１表示パネル及び奥側に配置され第２演出が実行される第２表示パネルにて構成され、前記第１表示パネルにて実行される前記第１演出と前記第２表示パネルにて実行される前記第２演出はそれぞれ異なる表示であると共に独立して演出可能であり、同時に実行することで奥行き感ある前記同時表示が実行可能にされており、
前記同時表示は、前記第２表示パネルに特定表示がなされた後に第１表示パネルに特別表示を行うことで実行し、前記特定表示は複数の段階表示で行われ、前記特別表示の実行を示唆する示唆表示として特定段階となった場合に、前記第１表示パネルにより前記特別表示を実行することを特徴とする遊技機。
する遊技機。
【手続補正６】
【補正対象書類名】明細書
【補正対象項目名】００１０
【補正方法】変更
【補正の内容】
【００１０】
本発明によれば、限られた領域において、より多くの情報量を遊技者に提供し得る遊技機を提供することができる。
【手続補正書】
【提出日】平成27年8月4日(2015.8.4)
【手続補正１】
【補正対象書類名】特許請求の範囲
【補正対象項目名】全文
【補正方法】変更
【補正の内容】
【特許請求の範囲】
【請求項１】
部品（３４）を処理するための真空バッグ（２０）であって、
前記部品（３４）を覆うように適用される、概ね平面の柔軟性のあるダイアフラム（２２）と、
前記ダイアフラム（２２）内に封入される概ね剛体のフレーム（２４）と
前記ダイアフラム（２２）の下面に接続されたシール（２６）とを含み、前記シール（２６）はツールの表面に対して前記ダイアフラム（２２）を密封するために配置され、前記ツールの上で前記部品（３４）の処理時に前記部品（３４）が配置され、前記バッグ（２０）内に真空が引かれる、真空バッグ。
【請求項２】
前記ダイアフラム（２２）がエラストマー材料である、請求項１に記載の真空バッグ（２０）。
【請求項３】
前記ダイアフラム（２２）がＲＴＶシリコーンである、請求項１または２に記載の真空バッグ（２０）。
【請求項４】
前記フレーム（２４）が複合材料である、請求項１から３のいずれか一項に記載の真空バッグ（２０）。
【請求項５】
前記シール（２６）が前記ダイアフラム（２２）と一体に形成される、請求項１に記載の真空バッグ（２０）。
【請求項６】
前記シール（２６）が前記封入されたフレーム（２４）に取り付けられている、請求項１または５に記載の真空バッグ（２０）。
【請求項７】
前記フレーム（２４）が前記ダイアフラム（２２）によって囲まれた側面を有する、請求項１から６のいずれか一項に記載の真空バッグ（２０）。
【請求項８】
つぎの処理ステップの間前記シール（２６）を保持して安定化させる手段が提供される、請求項１から７のいずれか一項に記載の真空バッグ（２０）。
【請求項９】
前記シール（２６）を保持し、安定化させる前記手段は、前記ツールの溝（４０）を有し、前記部品（３４）の処理中に前記ツールの上で前記部品（３４）が配置される、請求項８に記載の真空バッグ（２０）。
【請求項１０】
前記シール（２６）を保持し、安定化させる前記手段は、前記ツールの表面上に置かれた前記シール（２６）を取り囲むシム（５８）を有し、前記部品（３４）の処理中に前記ツールの上で前記部品（３４）が配置される、請求項８に記載の真空バッグ（２０）。
【請求項１１】
部品（３４）を処理するための真空バッグ（２０）を作る方法であって、
シール（２６）を形成するステップと、
概ね平面の柔軟性のあるダイアフラム（２２）をツールの上面全体にわたって形成するステップであって、前記ダイアフラム（２２）の下面が前記ツールの前記上面に対向するステップと、
前記シール（２６）を前記ダイアフラム（２２）の下面に接続するステップと、
前記ダイアフラム（２２）内に概ね剛体のフレーム（２４）を封入するステップと
を含み、前記シール（２６）はツールの表面に対して前記ダイアフラム（２２）を封印するために配置され、該ツールの上で部品（３４）が処理時に配置され、前記バッグ（２０）内に真空が引かれる、方法。
【請求項１２】
前記ダイアフラム（２２）を形成するステップが、ツール表面にエラストマーを被覆するステップを含み、且つ、
前記フレーム（２４）を封入するステップが、前記エラストマー被覆上に前記フレーム（２４）を配置するステップ及び前記フレーム（２４）全体にエラストマーを追加適用するステップを含む、請求項１１に記載の方法。
【請求項１３】
前記シール（２６）を前記ダイアフラム（２２）と一体に形成するステップをさらに含む、請求項１１又は１２に記載の方法。
【請求項１４】
前記シール（２６）を形成するステップが、ツール表面上にシール要素を配置するステップを含み、且つ
前記ダイアフラム（２２）を形成するステップが、前記シール（２６）を覆う前記ツール表面全体にエラストマー被覆を噴霧するステップを含む、請求項１３に記載の方法。
【請求項１５】
前記シール（２６）及び前記エラストマー被覆を同時硬化するステップを更に含む、請求項１３または１４に記載の方法。
【手続補正２】
【補正対象書類名】明細書
【補正対象項目名】００４８
【補正方法】変更
【補正の内容】
【００４８】
種々の有利な実施形態の説明は、例示及び説明を目的として提供されているものであり、網羅的な説明であること、又は開示された形態に実施形態を限定することを意図していない。当業者には、多数の修正例及び変形例が明らかであろう。さらに、種々の有利な実施形態は、他の有利な実施形態に照らして別の利点を提供することができる。選択された一又は複数の実施形態は、実施形態の原理、実際の用途を最もよく説明するため、及び他の当業者に対し、様々な実施形態の開示と、考慮される特定の用途に適した様々な修正との理解を促すために選択及び記述されている。
また、本願は以下に記載する態様を含む。
（態様１）
部品を処理するための真空バッグであって、
部品を覆うように適用される柔軟性のあるダイアフラムと、
ダイアフラム内に封入される概ね剛体のフレームと
を含む、真空バッグ。
（態様２）
前記ダイアフラムがエラストマー材料である、態様１に記載の真空バッグ。
（態様３）
前記ダイアフラムがＲＴＶシリコンである、態様１または２に記載の真空バッグ。
（態様４）
前記フレームが複合材料である、態様１〜３のいずれか一項に記載の真空バッグ。
（態様５）
前記フレームがダイアフラム内に封入されている、態様１〜４のいずれか一項に記載の真空バッグ。
（態様６）
部品の処理時に表面に対してダイアフラムを密封するためのシールをさらに含む、態様１〜５のいずれか一項に記載の真空バッグ。
（態様７）
前記シールが前記ダイアフラムと一体に形成される、態様６に記載の真空バッグ。
（態様８）
前記シールが前記封入されたフレームに取り付けられている、態様６または７に記載の真空バッグ。
（態様９）
前記フレームがダイアフラムによって囲まれた側面を有する、態様１〜８のいずれか一項に記載の真空バッグ。
（態様１０）
部品を処理するための真空バッグを作る方法であって、
柔軟性のあるダイアフラムを形成するステップと、
ダイアフラム内に概ね剛体のフレームを封入するステップと
を含む、方法。
（態様１１）
ダイアフラムを形成するステップが、ツール表面にエラストマーを被覆するステップを含み、且つ、
フレームを封入するステップが、エラストマー被覆上にフレームを配置するステップ及びフレーム全体にエラストマーを追加適用するステップを含む、態様１０に記載の方法。
（態様１２）
シールをダイアフラムと一体に形成するステップをさらに含む、態様１０又は１１に記載の方法。
（態様１３）
シールを形成するステップが、ツール表面上にシール要素を配置するステップを含み、且つ
ダイアフラムを形成するステップが、シールを覆うツール表面全体にエラストマー被覆を噴霧するステップを含む、態様１２に記載の方法。
（態様１４）
シール及びエラストマー被覆を同時硬化するステップを更に含む、態様１２または１３に記載の方法。
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
使用者保持面であって、
コアを含み、上面および下面を有する、第一の部分と、
コアを含み、上面および下面を有する、第二の部分と、
前記患者保持構造の第一の曲げ点において、前記第一の部分の前記コアと、前記第二の部分の前記コアとの間に配置された、少なくとも一つの第一の充填袋と
を備え、
前記第一の部分および前記第二の部分は、連携して患者保持構造を形成し、
前記第一の部分は、前記第二の部分の前記コアと相対して前記第一の部分の前記コアを移動させてそれぞれの前記コアの間に第一の隙間を作るべく、前記第一の曲げ点において前記第二の部分と相対して移動可能であり、
前記少なくとも一つの第一の充填袋は、前記第一の部分が前記第二の部分と相対して移動するにつれて、前記第一の隙間を充填するように、膨張可能である、
使用者保持面。
【請求項２】
前記第一の部分の前記コアと前記第二の部分の前記コアとの間に形成された前記第一の隙間は、前記第一の曲げ点に隣接したそれぞれの前記下面における位置より、前記第一の曲げ点に隣接したそれぞれの前記上面における位置でより狭い、請求項１の使用者保持面。
【請求項３】
前記少なくとも一つの第一の充填袋は、各前記上面より各前記下面における位置で、より大きな形状へと膨張する、請求項２の使用者保持面。
【請求項４】
前記第二の部分と相対した前記第一の部分の移動は、前記第一の部分の前記上面と前記第二の部分の前記上面との間に鈍角を形成させる、請求項１の使用者保持側面。
【請求項５】
前記第二の部分と相対した前記第一の部分の移動は、前記第一の部分の前記下面と前記第二の部分の前記下面との間に優角を形成させる、請求項４の使用者保持側面。
【請求項６】
前記第一の部分および前記第二の部分は、カバーに包囲され、前記カバーは、それぞれの前記上面および前記下面を画定し、また前記第二の部分と相対した前記第一の部分の移動は、各前記下面における前記カバーのサイズを大きくするように、前記第一の曲げ点に隣接した各前記下面における前記カバーを膨張させる、請求項５の使用者保持面。
【請求項７】
前記カバーに包囲された第三の部分をさらに備え、前記第三の部分は、第二の隙間を作るように、第二の曲げ点において隣接したコアと相対して移動可能なコアを含み、また少なくとも一つの第二の充填袋が、前記第三の部分の前記コアと前記隣接したコアとの間に配置され、前記少なくとも一つの第二の充填袋は、前記第二の隙間を充填するように膨張可能である、請求項６の使用者保持面。
【請求項８】
前記第三の部分は、前記第三の部分の上面と、隣接した部分の上面との間に優角、および前記第三の部分の下面と、前記隣接した部分の下面との間に鈍角を形成するように、前記隣接したコアと相対して移動可能である、請求項７の使用者保持面。
【請求項９】
前記隣接する部分と相対した前記第三の部分の移動は、前記カバーの前記上面のサイズを大きくするように、第二の曲げ点における前記カバーを膨張させる、請求項８の使用者保持面。
【請求項１０】
前記少なくとも一つの第一の充填袋、又は前記少なくとも一つの第二の充填袋は、それぞれ前記第一又は前記第二の隙間を連携して充填する複数の充填袋を備える、請求項９の使用者保持面。
【請求項１１】
第二の隙間を作るべく、第二の曲げ点において隣接したコアと相対して移動可能なコアを含んだ、前記カバーに包囲された第三の部分と、前記第三の部分の前記コアと前記隣接したコアとの間に配置されて、前記第二の隙間の少なくとも一部を充填するように膨張可能な少なくとも一つの第二の充填袋をさらに備える、請求項１の使用者保持面。
【請求項１２】
各前記部分は、全てが一つのカバーに包囲され、前記カバーは、各前記部分のそれぞれの前記上面および前記下面を画定し、また前記第三の部分は、前記第三の部分の前記上面と、隣接した部分の上面との間の優角、および前記第三の部分の下面と、前記隣接した部分の下面との間の鈍角を形成するように、前記隣接したコアと相対して移動可能である、請求項１１の使用者保持面。
【請求項１３】
前記隣接する部分と相対した前記第三の部分の移動は、前記カバーの前記上面のサイズを大きくするように、第二の曲げ点における前記カバーを膨張させる、請求項１２の使用者保持面。
【請求項１４】
前記少なくとも一つの第一の充填袋、又は前記少なくとも一つの第二の充填袋は、それぞれの前記第一又は前記第二の隙間を連携して充填する複数の充填袋を備える、請求項１３の使用者保持面。
【請求項１５】
前記少なくとも一つの第一の充填袋は、各前記袋が膨張したときに、前記第一の隙間を連携して充填する複数の充填袋を備える、請求項１の使用者保持面。
【請求項１６】
マットレスであって、
上面および下面を画定するカバーと、
コアを有し、前記カバーの中に配置された第一の保持部分と、
コアを有し、前記カバーの中に配置された第二の保持部分と、
前記第一および第二の保持部分の各前記コアの間に配置された膨張可能な填隙材と
を備え、
前記第二の保持部分は、前記第一の保持部分と相対してある角度をなして配置されるように、前記第一の保持部分と相対して移動可能であり、
前記第一の保持部分と相対した前記第二の保持部分の移動は、前記第一および第二のコアの間に隙間を作り、
前記膨張可能な填隙材は、前記第一および第二のコアの間の前記隙間を充填するように選択的に膨張可能である
マットレス。
【請求項１７】
前記第一および第二の保持部分の各前記コアは、膨張可能な袋を備える、請求項１６のマットレス。
【請求項１８】
前記膨張可能な填隙材は、楔のような外形を形成するように膨張する、請求項目１７のマットレス。
【請求項１９】
前記カバーの前記下面は、前記第二の保持部分が前記第一の保持部分と相対して移動する際に膨張するが、前記カバーの前記上面は、固定された大きさを維持する、請求項１８のマットレス。
【請求項２０】
前記第一の保持部分は、前記マットレスの使用者の座部を支持するように配置され、前記第二の部分は、前記マットレスの前記使用者の頭および胴を支持するように配置されている、請求項１９のマットレス。
【手続補正書】
【提出日】平成27年7月7日(2015.7.7)
【手続補正１】
【補正対象書類名】特許請求の範囲
【補正対象項目名】全文
【補正方法】変更
【補正の内容】
【特許請求の範囲】
【請求項１】
磁性基材、光学基材及び半導体基材の少なくとも一つから選択される基材を研磨するための、研磨層を含むケミカルメカニカル研磨パッドであって、前記研磨層が、
（ａ）（i）多官能イソシアネートと（ii）ポリオールとの反応から調製される、未反応ＮＣＯ基を４〜１２重量％有する末端イソシアネート修飾ウレタンプレポリマー、
（ｂ）ポリアミン連鎖延長剤、
（ｃ）ヒドロキシアルキル（アルキル）アクリレート及び２−アミノエチル（メタ）アクリレートからなる群より選択されるアクリレート、及び
（ｄ）ラジカル開始剤
を含む成分の反応生成物を含み、
前記研磨層が、６５〜５００MPaの引張り弾性率、５０〜２５０％の破断点伸び、２５〜２００MPaの貯蔵弾性率Ｇ′、２５〜７５のショアーＤ硬さ及び１〜１０μm/minの湿式切削速度を示すものであるケミカルメカニカル研磨パッド。
【請求項２】
前記多官能イソシアネートが、脂肪族多官能イソシアネート、芳香族多官能イソシアネート及びそれらの混合物からなる群より選択される、請求項１記載のケミカルメカニカル研磨パッド。
【請求項３】
前記ポリオールが、ポリエーテルポリオール、ポリカーボネートポリオール、ポリエステルポリオール、ポリカプロラクトンポリオール、それらのコポリマー及びそれらの混合物からなる群より選択される、請求項１記載のケミカルメカニカル研磨パッド。
【請求項４】
前記ポリアミン連鎖延長剤が、４，４′−メチレン−ビス−（２−クロロアニリン）、４，４′−メチレン−ビス−（３−クロロ−２，６−ジエチルアニリン）、ジエチルトルエンジアミン、ジメチルチオトルエンジアミン、４，４′−ビス（sec−ブチルアミノ）ジフェニルメタン、１，３−プロパンジオールビス−（４−アミノベンゾエート）、４，４′−メチレン−ビス−（２，６−ジエチルアニリン）、４，４′−メチレン−ビス−（２，６−ジイソプロピルアニリン）、４，４′−メチレン−ビス−（２−イソプロピル−６−メチルアニリン）、２−［２−（２−アミノフェニル）スルファニルエチルスルファニル］アニリン、４，４′−メチレン−ビス−（２−クロロアニリン）、４，４′−メチレンビス（Ｎ−sec−ブチルアニリン）及びそれらの混合物からなる群より選択される、請求項１記載のケミカルメカニカル研磨パッド。
【請求項５】
前記アクリレートがヒドロキシＣ1-8アルキル（Ｃ1-8アルキル）アクリレートである、請求項１記載のケミカルメカニカル研磨パッド。
【請求項６】
前記成分が、ジオール連鎖延長剤をさらに含み、前記ジオール連鎖延長剤が、エチレングリコール、１，２−プロピレングリコール、１，３−プロピレングリコール、１，３−プロパンジオール、１，１，１−トリメチロールプロパン、１，２−ブタンジオール、１，４−ブタンジオール、１，３−ブタンジオール、２−メチル−１，３−プロパンジオール、ネオペンチルグリコール、１，５−ペンタンジオール、３−メチル−１，５−ペンタンジオール、１，６−ヘキサンジオール、ジエチレングリコール、ジプロピレングリコール、ヒドロキシエチルレゾルシノール、ヒドロキノンビス（ヒドロキシエチル）エーテル及びそれらの混合物からなる群より選択される、請求項１記載のケミカルメカニカル研磨パッド。
【請求項７】
請求項１記載の研磨層を製造する方法であって、
（ａ）多官能イソシアネートとポリオールとの反応から調製される、未反応ＮＣＯを４〜１２重量％有する末端イソシアネート修飾ウレタンプレポリマーを提供すること、
（ｂ）ポリアミン連鎖延長剤を提供すること、
（ｃ）ヒドロキシアルキル（アルキル）アクリレート及び２−アミノエチル（メタ）アクリレートからなる群より選択されるアクリレートを提供すること、
（ｄ）ラジカル開始剤を提供すること、
（ｅ）前記末端イソシアネート修飾ウレタンプレポリマーと前記アクリレートとを混合すること、
（ｆ）前記ポリアミン連鎖延長剤を（ｅ）の混合物に加えること、
（ｇ）前記ラジカル開始剤を（ｆ）の混合物に加えること、及び
（ｈ）（ｇ）の混合物の重合を開始させて研磨層を形成すること
を含む方法。
【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
差動信号を送信する差動信号送信部と、差動信号を受信する差動信号受信部と、前記差動信号送信部と前記差動信号受信部とを電気的に接続する第１の信号線及び第２の信号線と、を備えた差動伝送回路において、
前記第１の信号線に設けられた第１のインダクタと、前記第２の信号線に設けられた第２のインダクタとを有するインダクタ部と、
一端が前記第１のインダクタの信号入力端に電気的に接続され、他端が前記第２のインダクタの信号入力端に電気的に接続された第１のコンデンサと、一端が前記第１のインダクタの信号入力端に電気的に接続され、他端がグラウンドに電気的に接続された第２のコンデンサと、一端が前記第２のインダクタの信号入力端に電気的に接続され、他端がグラウンドに電気的に接続された第３のコンデンサとを有する入力側コンデンサ部と、
前記インダクタ部と前記差動信号受信部との間に設けられた出力側コンデンサ部と、を備え、
前記第２のコンデンサと前記第３のコンデンサとは静電容量の差が２０％以内であり、前記第１のコンデンサの静電容量の公称値をＣ１、前記第２及び第３のコンデンサのそれぞれの静電容量の公称値をＣ２としたとき、Ｃ１／Ｃ２の値が、０．７５以上２．２５以下であることを特徴とする差動伝送回路。
【請求項２】
前記出力側コンデンサ部は、前記インダクタ部及び前記入力側コンデンサ部と協働して差動信号に含まれるノーマルモード成分を減衰させることを特徴とする請求項１に記載の差動伝送回路。
【請求項３】
前記出力側コンデンサ部は、一端が前記第１のインダクタの信号出力端に電気的に接続され、他端が前記第２のインダクタの信号出力端に電気的に接続された第４のコンデンサであることを特徴とする請求項１又は２に記載の差動伝送回路。
【請求項４】
前記出力側コンデンサ部は、一端が前記第１のインダクタの信号出力端に電気的に接続され、他端がグラウンドに電気的に接続された第５のコンデンサと、一端が前記第２のインダクタの信号出力端に電気的に接続され、他端がグラウンドに電気的に接続された第６のコンデンサとからなることを特徴とする請求項１又は２に記載の差動伝送回路。
【請求項５】
前記出力側コンデンサ部は、一端が前記第１のインダクタの信号出力端に電気的に接続され、他端が前記第２のインダクタの信号出力端に電気的に接続された第４のコンデンサと、一端が前記第１のインダクタの信号出力端に電気的に接続され、他端がグラウンドに電気的に接続された第５のコンデンサと、一端が前記第２のインダクタの信号出力端に電気的に接続され、他端がグラウンドに電気的に接続された第６のコンデンサとからなることを特徴とする請求項１又は２に記載の差動伝送回路。
【請求項６】
差動信号を送信する半導体素子と、前記半導体素子が実装され、前記半導体素子に電気的に接続された第１の信号線及び第２の信号線からなる差動信号配線を有するプリント配線板と、を備えたプリント回路板において、
前記プリント配線板に実装されたフィルタ回路を備え、
前記フィルタ回路は、
前記第１の信号線に設けられた第１のインダクタと前記第２の信号線に設けられた第２のインダクタとからなるインダクタ部と、
一端が前記第１のインダクタの信号入力端に電気的に接続され、他端が前記第２のインダクタの信号入力端に電気的に接続された第１のコンデンサと、一端が前記第１のインダクタの信号入力端に電気的に接続され、他端がグラウンドに電気的に接続された第２のコンデンサと、一端が前記第２のインダクタの信号入力端に電気的に接続され、他端がグラウンドに電気的に接続された第３のコンデンサとからなる入力側コンデンサ部と、
前記インダクタ部の出力側に設けられた出力側コンデンサ部と、を有し、
前記第２のコンデンサと前記第３のコンデンサとは静電容量の差が２０％以内であり、前記第１のコンデンサの静電容量の公称値をＣ１、前記第２及び第３のコンデンサのそれぞれの静電容量の公称値をＣ２としたとき、Ｃ１／Ｃ２の値が、０．７５以上２．２５以下であることを特徴とするプリント回路板。
【請求項７】
前記出力側コンデンサ部は、前記インダクタ部及び前記入力側コンデンサ部と協働して差動信号に含まれるノーマルモード成分を減衰させることを特徴とする請求項６に記載のプリント回路板。
【請求項８】
前記出力側コンデンサ部は、一端が前記第１のインダクタの信号出力端に電気的に接続され、他端が前記第２のインダクタの信号出力端に電気的に接続された第４のコンデンサであることを特徴とする請求項６又は７に記載のプリント回路板。
【請求項９】
前記出力側コンデンサ部は、一端が前記第１のインダクタの信号出力端に電気的に接続され、他端がグラウンドに電気的に接続された第５のコンデンサと、一端が前記第２のインダクタの信号出力端に電気的に接続され、他端がグラウンドに電気的に接続された第６のコンデンサとからなることを特徴とする請求項６又は７に記載のプリント回路板。
【請求項１０】
前記出力側コンデンサ部は、一端が前記第１のインダクタの信号出力端に電気的に接続され、他端が前記第２のインダクタの信号出力端に電気的に接続された第４のコンデンサと、一端が前記第１のインダクタの信号出力端に電気的に接続され、他端がグラウンドに電気的に接続された第５のコンデンサと、一端が前記第２のインダクタの信号出力端に電気的に接続され、他端がグラウンドに電気的に接続された第６のコンデンサとからなることを特徴とする請求項６又は７に記載のプリント回路板。
【手続補正２】
【補正対象書類名】明細書
【補正対象項目名】００１１
【補正方法】変更
【補正の内容】
【００１１】
本発明は、差動信号を送信する差動信号送信部と、差動信号を受信する差動信号受信部と、前記差動信号送信部と前記差動信号受信部とを電気的に接続する第１の信号線及び第２の信号線と、を備えた差動伝送回路において、前記第１の信号線に設けられた第１のインダクタと、前記第２の信号線に設けられた第２のインダクタとを有するインダクタ部と、一端が前記第１のインダクタの信号入力端に電気的に接続され、他端が前記第２のインダクタの信号入力端に電気的に接続された第１のコンデンサと、一端が前記第１のインダクタの信号入力端に電気的に接続され、他端がグラウンドに電気的に接続された第２のコンデンサと、一端が前記第２のインダクタの信号入力端に電気的に接続され、他端がグラウンドに電気的に接続された第３のコンデンサとを有する入力側コンデンサ部と、前記インダクタ部と前記差動信号受信部との間に設けられた出力側コンデンサ部と、を備え、前記第２のコンデンサと前記第３のコンデンサとは静電容量の差が２０％以内であり、前記第１のコンデンサの静電容量の公称値をＣ１、前記第２及び第３のコンデンサのそれぞれの静電容量の公称値をＣ２としたとき、Ｃ１／Ｃ２の値が、０．７５以上２．２５以下であることを特徴とする。
【誤訳訂正書】
【提出日】平成27年3月2日(2015.3.2)
【誤訳訂正１】
【訂正対象書類名】特許請求の範囲
【訂正対象項目名】全文
【訂正方法】変更
【訂正の内容】
【特許請求の範囲】
【請求項１】
ガラスシートから粒子を洗い落とすための装置において、
前記ガラスシートを支持するコンベヤ、
前記ガラスシートが前記コンベヤによって搬送されるときに、該ガラスシートの主表面が配置されるとともに前記コンベヤに隣接して設けられた搬送面、
互いに対して３０°〜１５０°の角度で配置された２つのバンク、
前記搬送面に対して３０°〜９０°の角度で配置された縦軸を有し、かつ前記搬送面から１００ｍｍ以下の距離に配置されるとともに、前記２つのバンクに配置された複数のノズル、
を備え、
前記２つのバンクの中心線が前記搬送方向と位置合わせされているか平行であり、
前記２つのバンクのうちの一方のノズルから、前記中心線の一方の側にかつ前記中心線から離れて流体を噴出するように、また、前記２つのバンクのうちの他方のノズルから、前記中心線の前記一方の側とは反対の側にかつ前記中心線から離れて流体を噴出するように、前記複数のノズルが配列されていることを特徴とする装置。
【請求項２】
前記ノズルがさらにオリフィスを有し、かつ該オリフィスの直径が０．２〜１．０ｍｍの範囲であり、
前記ノズルが、３０°〜９０°の扇角度を形成する流体を噴出するよう構成されており、
前記コンベヤが前記ガラスシートを搬送方向に搬送するよう構成されていることを特徴とする請求項１記載の装置。
【請求項３】
前記ノズルがさらに溝を備えていることを特徴とする請求項１または２記載の装置。
【請求項４】
前記バンクが前記搬送面の両側にそれぞれ２つずつ配置されることを特徴とする請求項１から３いずれか１項記載の装置。
【請求項５】
請求項１から４いずれか１項記載の装置を用いて、ガラスシートから粒子を洗い落とす方法において、
前記ガラスシートを支持するステップ、
前記ノズルから前記ガラスシートに向けて流体を噴出させるステップであって、該流体が１０〜８０ｋｇ／ｃｍ2（９８０.７〜７８４５ｋＰａ）の圧力および１〜２０Ｌ／分の流量で前記ノズルに送り込まれるステップ、
前記ガラスシートと前記ノズルとの間に、搬送方向における相対運動を生じさせるステップ、および、
前記２つのバンクのうちの一方のノズルから、前記中心線の一方の側にかつ前記中心線から離れて流体を噴出するように、また、前記２つのバンクのうちの他方のノズルから、前記中心線の前記一方の側とは反対の側に前記中心線から離れて流体を噴出するように、前記複数のノズルから流体を噴出させるステップを含み、
前記相対運動により、前記ガラスシートを前記ノズルに対し搬送速度４〜６ｍ／分で相対的に移動させることを特徴とする方法。
【請求項６】
前記ノズルがオリフィスを有し、
前記オリフィスの直径が０．３ｍｍ〜０．５ｍｍであるときに前記流量が１〜５Ｌ／分であり、
前記オリフィスの直径が０．９ｍｍ〜１．１ｍｍであるときに前記流量が３〜２０Ｌ／分であることを特徴とする請求項５記載の方法。
【請求項７】
フラットパネルディスプレイ用ガラス基板を製造する方法であって、ガラスリボンを生成するステップ、該リボンからシートを切断するステップ、および請求項５または６記載の方法に従って該シートから粒子を洗い落とすステップ、を含むことを特徴とする方法。
【誤訳訂正２】
【訂正対象書類名】明細書
【訂正対象項目名】０００６
【訂正方法】変更
【訂正の内容】
【０００６】
第１の態様によれば、ガラスシートから粒子を洗い落とす方法が提供され、
ガラスシートを支持するステップ、
ノズルからガラスシートに向けて流体を噴出するステップであって、この流体が１０〜８０ｋｇ／ｃｍ2（９８０.７〜７８４５ｋＰａ）の圧力および１〜２０Ｌ／分の流量でノズルに送り込まれるステップ、および、
ガラスシートとノズルとの間に、搬送方向における相対運動を生じさせるステップ、
を含む。
【誤訳訂正３】
【訂正対象書類名】明細書
【訂正対象項目名】００１９
【訂正方法】変更
【訂正の内容】
【００１９】
第１４の態様によれば、ガラスシートから粒子を洗い落とすための装置が提供され、
ガラスシートを支持するコンベヤ、
ガラスシートがコンベヤによって搬送されるときに、該ガラスシートの主表面が配置されるとともに前記コンベヤに隣接して設けられた搬送面、
縦軸を有するノズルであって、この縦軸が搬送面に対して３０°〜９０°の角度で配置され、かつこのノズルが搬送面から１００ｍｍ以下の距離に配置される、ノズル、
を備えている。
【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
記録材に形成された未定着画像を記録材に加熱定着する定着部と、
装置で利用可能な定型の最小幅の記録材が通過しない前記定着部の一方の端部領域の温度を検知する第１の温度検知素子と、
前記定着部の他方の端部領域の温度を検知する第２の温度検知素子と、
前記第１の温度検知素子の検知温度に応じて前記一方の端部領域に送風する第１のファンと、
前記第２の温度検知素子の検知温度に応じて前記他方の端部領域に送風する第２のファンと、
を有する定着装置において、
定着処理中、前記第１のファンは、前記第１の温度検知素子の検知温度が閾値に達した時、第１の風量で送風開始し、前記第２の温度検知素子の検知温度が前記閾値に達し且つ前記第１の温度検知素子の検知温度が前記閾値よりも低い温度範囲である時、前記第１の風量よりも小さい第２の風量で送風開始することを特徴とする定着装置。
【請求項２】
前記装置は更に、前記第１のファンと前記一方の端部領域間の風路を開閉する第１のシャッタと、
前記第１のシャッタと連動して移動し、前記第２のファンと前記他方の端部領域間の風路を開閉する第２のシャッタと、
を有し、
前記第１及び前記第２のシャッタは、前記第１及び第２の温度検知素子の検知温度の少なくとも一方が前記閾値に達するまでは閉じており、前記第１及び第２の温度検知素子の検知温度の少なくとも一方が前記閾値に達したら開くことを特徴とする請求項１に記載の定着装置。
【請求項３】
前記第１の風量は、記録材のサイズと、前記定着部のヒータに流れる電流と、の少なくとも一方に応じて設定されていることを特徴とする請求項１又は２に記載の定着装置。
【請求項４】
前記第２の風量は前記第１のシャッタの移動量に応じて設定されていることを特徴とする請求項２又は３に記載の定着装置。
【請求項５】
前記第１及び第２のシャッタの移動量は記録材のサイズに応じて設定されていることを特徴とする請求項２〜４いずれか一項に記載の定着装置。
【請求項６】
前記定着部は、記録材と接触しつつ回転する筒状のフィルムを有することを特徴とする請求項１〜５いずれか一項に記載の定着装置。
【請求項７】
前記定着部のヒータは、前記フィルムの内面に接触していることを特徴とする請求項６に記載の定着装置。
【手続補正２】
【補正対象書類名】明細書
【補正対象項目名】００１０
【補正方法】変更
【補正の内容】
【００１０】
上述の課題を解決するための本発明は、記録材に形成された未定着画像を記録材に加熱定着する定着部と、装置で利用可能な定型の最小幅の記録材が通過しない前記定着部の一方の端部領域の温度を検知する第１の温度検知素子と、前記定着部の他方の端部領域の温度を検知する第２の温度検知素子と、前記第１の温度検知素子の検知温度に応じて前記一方の端部領域に送風する第１のファンと、前記第２の温度検知素子の検知温度に応じて前記他方の端部領域に送風する第２のファンと、を有する定着装置において、定着処理中、前記第１のファンは、前記第１の温度検知素子の検知温度が閾値に達した時、第１の風量で送風開始し、前記第２の温度検知素子の検知温度が前記閾値に達し且つ前記第１の温度検知素子の検知温度が前記閾値よりも低い温度範囲である時、前記第１の風量よりも小さい第２の風量で送風開始することを特徴とする。